(57)【要約】【課題】  補聴器の円滑使用のために、補聴器関連用具を１箇所に集約、管理ができる容器、および小さく滑りやすい小型電池を容易に扱うことができる工具を提供する。【解決手段】補聴器用具バスケットについては、補聴器乾燥ケース用の主コンパートメントおよびその側部に新電池、電池チェッカー、小型電池を扱う工具、およびブラシ等の用具を入れる副コンパートメントを配置し、バスケットの両側部に直立のフィンを取り付け、ハンドルとして或いは注意書き掲示板として利用する。小型電池取扱工具については、連結した二本のハンドルの先端は幅の小さい挟み部で、挟み部およびハンドルの外側に永久磁石を取り付け、それらの磁石で電池を扱い、補聴器に装着したり、電池チェッカーへの移動を容易にする。【選択図】図１
2010050954.tif 000002
【特許請求の範囲】
【請求項１】
補聴器を使うために必要とする補聴器関連用具を散逸しないように纏めて保持するためのバスケットであり、各々の用具を収容するコンパートメントがあり、また、先端に持ち運び用のハンドルを形成する磁石、面ファスナ、あるいはフック状連結部を取付け、更に注意書き貼付表示板の機能を持った両側面に直立した柔軟な短冊形フィンを持つことを特徴とする補聴器用具バスケット。
【請求項２】
補聴器用具バスケットのコンパートメントは、補聴器関連用具の一つである乾燥ケース用の主コンパートメントを中心とし、その側部に連結する半円形或いは長方形で、他の関連用具である新電池入りケース、電池チェッカー、小型電池取扱工具などを入れる仕切を付けた副コンパートメントを配置し、この副コンパートメントを形成する外側の側壁は、主コンパートメントの外壁に沿って用具の出し入れを容易に行うことができるように、補聴器乾燥ケース用の主コンパートメントの側壁より低くして段差を付けた請求項１に記載の補聴器用具バスケット。
【請求項３】
前記短冊形のフィンは、商標や補聴器使用上の注意書きなどを表示できる平面を有するフィンであって、補聴器用具バスケット側面に一体化して成形するか、或いは面ファスナのような連結手段で取り付けることができる請求項１又は２に記載の補聴器用具バスケット。
【請求項４】
小型電池取扱工具は、請求項１のバスケットと独立に使用できるものであって、補聴器用の小型電池を取り扱う為の工具で、二本のハンドルが一端で連結し、先端は幅の小さい挟み部で自由面とし、挟み部の内側から先端部に掛けて永久磁石を取り付け、ハンドルは人の手で扱うのに適した長さと幅を持ち、一方のハンドルの外側に滑り止めの指当てを取付け、他方のハンドルの外側には長尺の永久磁石を取り付けた電池吸引部を付け、使用者の電池を補聴器や電池チェッカーのような器具の所定の電池受容部へ出し入れをする作業を補助することを特徴とする小型電池取扱工具。
【請求項５】
前記工具のハンドルの一方の外側面に、指が滑らないように凹凸をつけた指当てを配し、別の外側面にほぼハンドルの幅で長めの永久磁石を配し、テーブルのような平面上或いは床に落下したような電池を吸い付け、手元にたぐり寄せることができるようにした請求項４に記載の小型電池取扱工具。
【請求項６】
前記工具の本体は、可塑性材料であるプラスチック製とし、永久磁石を両ハンドルの先端部と一方のハンドルの外側の所定の位置に一体化成形するか接着により取り付け、更に工具の角部は、すべて尖った部分を丸くし、使用者が怪我をしないようにした請求項４に記載の小型電池取扱工具。
【請求項７】
落下防止のための紐を付ける穴を前記ハンドルの根元に設けた請求項４又は５に記載の小型電池取扱工具。
【発明の詳細な説明】
【技術分野】
【０００１】
本発明は、散逸し易い補聴器関連用具を纏めて扱い易く保持し、使用上の注意を促す表示ができる利便性を持った補聴器用器具バスケット、および補聴器用電池のような小型電池を指の感覚が弱った人でも容易に取り扱えるようにした補聴器用具の一つである小型電池取扱工具に関するものである。
【背景技術】
【０００２】
補聴器は電子機器で、故障や破損の原因の一つは湿気である。
補聴器は、耳の上や、耳の中に取り付けて使用する。
その際人の頭部或いは耳からの汗或いは皮膚呼吸による水蒸気などによる水分、或いは入浴中の水蒸気は補聴器の性能劣化に繋がるので、入浴時或いは使用しないときは吸湿剤を備えた乾燥器に密閉して除湿しながら保管する。
この際、空気電池である電池は、乾燥によって消耗が激しくなるので、外して乾燥器の外の大気中に保持する必要がある。
【０００３】
補聴器を収容する乾燥器は気密性を維持できる蓋をネジで締める円筒形容器が一般的である。
その形状が、例えばクリンジングクリームのような化粧品の容器によく似ているため、補聴器を化粧品の容器に入れてしまい故障したり洗浄に時間が掛かったりする例が報告されている。
したがって、乾燥器を他の化粧品容器等と差別化する必要がある。
【０００４】
補聴器を使用するための関連用具は、乾燥器、新電池入りケース、電池チェッカー、小型電池取扱工具、およびブラシ、或いは、機種によっては、集音器、テックマルチナビゲータ（シーメンス社製、登録商標）などの付属機器が必要となる。
これを、常に使用できるように纏めておくことは、使用者にとって必要且つ重要なことである。
【０００５】
現在、円盤状の小型電池は、腕時計、小型計算機、或いは補聴器など種々な用途に使用されており、多くの人によって取り扱われている。
そのような小型電池の電池残量を把握するため種々の電池チェッカーが市販されている。
使用中の電池を適宜電池チェッカーで残量をチェックし、必要時に交換することが望ましい。
この一連の手順を円滑に進めるための取扱い用の工具があれば、電池を十分に使い切ることができ、無駄を無くし資源の有効活用にも資することができる。
【特許文献１】実開平４−８００５１号公報
【非特許文献１】東芝補聴器用空気電池チェッカー取扱説明書
【非特許文献２】リオン株式会社製リオネット電池チェッカー取扱説明書
【非特許文献３】シーメンスヒヤリングインスツルメント（株）カタログ
【非特許文献４】ＪＩＳＣ８５００  空気亜鉛電池規格
【発明の開示】
【発明が解決しようとする課題】
【０００６】
補聴器用具バスケットについては、補聴器の円滑使用のために、補聴器および関連用具を１箇所に集約保持ができる容器を提供し、補聴器用乾燥器を他の容器と混同することのないように外観、手触りを差別化する。
【０００７】
補聴器用具バスケットは、さらに無視できない注意事項、例えば、浴室あるいはシャワー室に入るとき補聴器を外すこと、ペットなどに囓られるというような事故を防ぐため補聴器を乾燥器に保管することなど、使用者がつい疎かにしがちな事項を明確に表示し、注意を喚起する表示を掲示する場を提供することである。
【０００８】
小型電池取扱工具については、補聴器の様な小型電子機器の電池は、小さく、使用者特に年配者、視力や指の感覚の衰えた人或いは指の太い人などにとって、床に落とした場合に拾い上げたり、テーブルの上でさえ摘み上げるのに難儀するので、その問題解決のためになされたものである。
【課題を解決するための手段】
【０００９】
本発明は、補聴器を使うために必要とする補聴器乾燥ケース、電池残量を点検する電池チェッカー、および小型電池取扱工具などの用具を散逸しないように纏めて保持するためのバスケットであり、各々の用具を収容するコンパートメントがあり、更に両側面に直立した柔軟な短冊形フィンを持ち、その両先端に磁石、面ファスナ、あるいはフック形状連結部を取り付け、両フィンを曲げて面ファスナを繋ぐことでアーチ状のハンドルにして用具を収容したバスケット全体の持ち運びを容易にし、フィンを注意書き貼付用表示板に使うことができる補聴器用具バスケットである。
【００１０】
補聴器用具バスケットはプラスチック製とし、補聴器乾燥ケース用の主コンパートメントを中心とし、その側部に連結する半円部或いは長方形部に新電池入りケース、電池チェッカー、小型電池取扱工具などの用具を入れる仕切を付けた副コンパートメントを配置し、この副コンパートメントを形成する外側の側壁は、主コンパートメントの外壁に沿って用具の出し入れを容易に行うことができるように、補聴器乾燥ケース用の主コンパートメントの側壁より低くして段差を付けた主と副コンパートメントおよびフィンを備えている。
【００１１】
フィンは、柔軟な材料製短冊形で、面上に商標や補聴器使用上の注意書きなどを表示できる平面を有し、補聴器用具バスケット側面に、一体化して成形するか、或いはその側面とフィンの内側に各々貼り付ける面ファスナのような連結手段で取り付ける。
【００１２】
本発明では、さらに、補聴器用具バスケットと独立に使用できるものであるが、補聴器用の小型電池を取り扱う為の小型電池取扱工具を含む。二本のハンドルが一端で連結し、先端は幅の小さい挟み部で自由面とし、挟み部の内側から先端部に掛けて永久磁石を取り付け、ハンドルは人の手で扱うのに適した長さと幅を持ち、一方のハンドルの外側に滑り止めの指当てを配置し、他方のハンドルの外側には長尺の永久磁石を取り付けた電池吸引部があり、使用者の、その吸引部で取り寄せた電池を指で位置を調整して挟み部に挟み、補聴器のような器具や池残量確認のための電池チェッカーなどの電池受容部への電池の出し入れを補助する。
【００１３】
工具のハンドルの一方の外側面に、指が滑らないように凹凸をつけた指当てを配し、別の外側面にやや大きめの永久磁石を配し、テーブルのような平面上或いは床に落下したような電池を吸い付け、手元にたぐり寄せることができるようにする。
【００１４】
工具の本体は、可塑性材料であるプラスチック製とし、永久磁石を両ハンドルの先端部と一方のハンドルの外側の所定の位置に一体化成形するか接着により取り付け、更に工具の角部は、すべて尖った部分を丸くし、使用者が怪我をしないようにし、落下防止のための紐を付ける穴をハンドルの根元に設ける。
【００１５】
寸法の異なる電池に対応するため、工具のハンドル間にスペーサを咬ませ、挟み幅を調整することができる。或いは、電池の寸法毎の工具を作ることもできる。また、スペーサを装着したときの安定性を増進するため、スペーサ止めをハンドルに形成し、そのスペーサ止めに切り込みを入れ、スペーサのスペーサ止めに当たる部分は切り込みに嵌合するように成形する。
【００１６】
フィンは、バスケットとの一体型成形でも良いが、多様なユーザの要求に対応できるようフィンだけを交換できる構造とすることもできる。
【００１７】
フィンは、注意書きを表示できるような幅と長さを有し、直立からアーチ状に湾曲にすることができる柔軟性を持ち、且つ有る程度の重量を支保することができる強度を具備する厚みを持つものとする。
【００１８】
補聴器用具バスケットの底部は、全体の強度を維持し、各用具を収容する機能を有するが、強度が十分で用具の落下が防げる限り、使用素材を節減するため、および清掃がし易いように特定のコンパートメント以外は部分的に底部に穴を空けることもできる。
【００１９】
小型電池は、一般にプラス側は磁性体であり、永久磁石で引き寄せることができる。
発明の小型電池取扱工具の両ハンドルの先端の挟み部内側から先端部に掛けて、及び片側ハンドルの面に永久磁石を埋め込み、ハンドルの磁石で、机上或いは床上の電池を手元に手繰り寄せ取る。
この電池を指で摘み、ハンドル先端の磁石付きの挟み部の部分で挟み、使用機器或いは残量測定器の所定の受容部の上に運び、そこで電池を受容部に挿入する。
【００２０】
電池を挟む機構は、請求項４のピンセット式でも、ピボット軸でハンドルと挟み部を連結する鋏式のどちらも利用できるが、電池手繰り寄せ用の磁石取付のためにはピンセット式が望ましい。
【００２１】
ハンドルを安定的に把握するため、ハンドルの一方の外面に指で掴みやすいように指当てを取り付ける。
また、ハンドルの先端の挟み部の内側、電池を掴む面は、掴みやすいように波状、或いは網状の摩擦係数が高い粗い面とするとより効果的である。
【００２２】
工具は、年配者が不慮の接触で怪我をしないように、工具の全ての角は面取りをするか丸みを持たせる。
【発明の効果】
【００２３】
本発明の補聴器用具バスケットは、補聴器使用者にとって用具の管理が容易になり、用具の散逸を防ぎ、探しの時間を減少させることができ、無用のトラブルを防ぎ、精神衛生上も効果が期待できる。
【００２４】
乾燥器が補聴器用具バスケットに入っているため、他の化粧品入れのような単体容器と混同することなく、フィンに表示する注意書きの効果も相まって補聴器を正しく保管することが期待できる。
【００２５】
フィンの先に面ファスナを取り付け、移動時には両フィンの先端を面ファスナで繋ぎ、アーチ状のハンドルを形成し、それを持って移動できる。
また、フィンの外側面に商標や注意書きなどを印刷あるいは貼付することができ、毎日フィンを見る使用者にとって、特に重要事項を自らメモして貼っておくというような利用も可能である。
【００２６】
小型電池取扱工具のハンドルの外側に設置した磁石で小型の電池を容易に取上ることができ、指先の不自由な人でも電池の取扱いが容易になる。
また、挟み部の磁石を先端部まで伸張させ、バスケットのコンパートメントの狭い所に落ちたような電池でも引き揚げることを可能とする。
【００２７】
小型電池取扱工具は鋭角の角を全て丸みを持たせるので、誤って肌に触れても怪我することなく、使用者に優しい工具である。
【００２８】
小型電池取扱工具によって電池の残量測定が容易になり、交換時期を予測することが容易にできるので、電池を十分使い終わらせることができ、省資源、省エネルギーに資することができる。
【００２９】
小型電池取扱工具は掌に入る程度の大きさで、容易に携行ができ、ハンドルの連結部に穴を設けてあるので紐を通し、手或いは電池残量測定器などと連結することで、持ちやすく、置き忘れ防止もできる。
【発明を実施するための最良の形態】
【００３０】
補聴器用具バスケットの両フィンをバスケットと一体化成形の場合、フィンを各々直立した形状にすることでプラスチック成形が容易な設計とする。
或いは、バスケット本体とフィンは別々に成形し、接着材或いは面テープで連結する構造も可能である。
【００３１】
両フィンをバスケットに着脱式連結にした場合、印刷などで表示をしたフィンを取り替えることが容易になると同時に、印刷や注意書きの貼付がやり易くなる。
【００３２】
乾燥器用の主コンパートメントに隣接する用具用コンパートメントは半円形或いは端部が長方形にすることができる。
長方形の場合、かなり大きな用具、例えば幅が５０ｍｍ程度の電池チェッカー、機種によっては付属品のＴｅｋマルチナビゲータ（シーメンス社製、登録商標）等を収容するスペースが確保できる。
【００３３】
小型電池取扱工具については、小型電池の＋極が磁性体であることに着目し、電池そのものに侵襲することなく、磁石と挟む機能を組み合わせることにより、小型電池の扱い難いという難点を解決した。
また、ハンドルの片側外面に凹凸のある指当てを取り付けることにより工具を掴み易いようにする。
【００３４】
小型電池取扱工具のハンドルの挟み部の磁石は先端部まで伸張しており、バスケットのコンパートメントの狭い空間に落ちたような電池を引き揚げるのに有効であり、ハンドルの側部の磁石は、平坦な面上の電池を持ち上げるのに有効である。
【実施例１】
【００３５】
図１に、本発明の補聴器用具バスケット１０を示す。
補聴器用具バスケット１０は、円筒形で上端をネジ付き蓋で密閉でき同封する乾燥剤で使用中に補聴器に付着する水分を除去すると同時に補聴器を保管する容器である乾燥器４０をその下半部を受け入れて保持する上端が開口した円筒形の容器形状の主コンパートメント１２、そのコンパートメントの側面と連結する側壁と底部からなる上端が開口した容器形状の副コンパートメント１４、およびバスケットの両側に底部３０から直立する一対のフィン３２，３４からなる。
主コンパートメント１２には乾燥器４０、副コンパートメント１４には電池チェッカー４４、新電池ケース４６、ブラシ４８などを収容する。
【００３６】
図２は、補聴器用具バスケット１０の平面図で、副コンパートメント１４は、電池チェッカー用のコンパートメント１６、ブラシ４８などの小物を収容するコンパートメント１８、および新電池ケース４６用のコンパートメント２０の３つのコンパートメントに仕切られている。
この仕切の位置と数は、目的に応じて変更ができる。
【００３７】
図３は、補聴器用具バスケット１０の側面図で、フィン３２の先に面ファスナ３６、磁石、あるいはフックが取り付けられている。
見えない側のフィン３４も同様に先端に面ファスナ３８、磁石、あるいはフィン３２の先端につけたフックを受容するコの字型の金具が取り付けられている。
主コンパートメント１２の壁２２の上端２４の底部３０からの高さは、乾燥器４０の高さの約５分の３で、乾燥器４０を収容して移動する場合に外れ難く、且つ使用時に取り出しが容易な寸法にする。
副コンパートメント１４を形成する壁２６の上端２８は、主コンパートメント１２の上端２４より低くして、用具を副コンパートメントに差し入れる際、主コンパートメントの壁面に沿って出し入れが容易にできるようにする。
【００３８】
図４は、補聴器用具バスケット１０を主コンパートメントの壁２２側から見た側面図で、フィン３２，３４のハンドルとしての動きを示す。
用具を収容後移動時に、フィンを点線状に曲げて両端にある面ファスナ３６，３８、磁石、あるいはフックで連結し、フィンをアーチ状にして持ち運びするためのハンドルを形成することができる。
【００３９】
フィン３２，３４は柔軟な材料製短冊形で、商標や補聴器使用上の注意書きなどを表示できる平面を有し、補聴器用具バスケット側面に一体化して成形するか、或いは面ファスナのような連結手段で取り付ける。
【実施例２】
【００４０】
図５は、副コンパートメント５２の自由面側の壁面５４を長方形にした補聴器用具バスケット５０で、バスケットの両側面間の幅を広げることなく、比較的大型の電池チェッカー４４や、Ｔｅｋマルチナビゲータ（シーメンス社製、登録商標）などを収容することができるように十分なスペースを持った副コンパートメントを形成できる。なお、壁面５４は半円形、長方形だけでなく楕円形、多角形など必要に応じた形状にできる。
【実施例３】
【００４１】
図６（Ａ）は、工具６０の側面図で、ハンドル７０，７２の先端に突き出た形状の挟み部７４があり、他端は連結部７６でハンドル７０，７２が連結されている。挟み部７４及びハンドル７２の外側面に、各々シート状の電池保持用の永久磁石８２及び電池取り上げ用の永久電池８４を埋め込むか、接着剤で固定する。
ハンドル本体はプラスチック等の非磁性体製とし、磁束を妨げない材料で成型する。連結部７６には紐を通す紐穴８０を設ける。工具６０の全長Ｌは、手が若干不自由な人でも扱える様に、平均的な掌の横幅程度にする。挟み部７４は、補聴器のような使用機器の受容部に近づけ易いように先端に向け幅を狭くする。
【００４２】
図６（Ｂ）は、小型電池取扱工具６０の平面図で、２本のハンドル７０，７２が連結部７６で繋がっている。
ハンドル７０の側面には指止め８８があって、ハンドル７０のほぼ全長に亘りハンドルと一体化して成型される。
電池を挟む挟み部７４の内側面８６は、電池を掴んだとき滑らないように粗い面にする。
電池を挟む幅Ｓは、ＪＩＳで規定された小型電池の直径に若干の遊び約０．５ｍｍ〜１ｍｍ加えた寸法にする。
この図で示すように、永久磁石８２，８４は、各々挟み部７４とハンドル７２に配置されている。
永久磁石８２は、狭い所にある電池を取り上げるのに使用できるように、図６（Ｂ‘）のように挟み部７４の先端部まで伸ばす。
【００４３】
図６（Ｃ）は、小型電池取扱工具６０の背面図で、連結部７６に紐穴８０がある。  
【００４４】
図６の何れの場合も、小型電池取扱工具の角は、全て面取りするか、或いは丸めて使用者に危害が及ばないようにする。
【実施例４】
【００４５】
補聴器用の小型電池は種々の型があり、径が３種類に大別される。これを一種の工具で対応するには、ハンドル間の幅を変える必要がある。
図７は、市販の補聴器用の大型の電池に使うため、ハンドル７０，７２間にスペーサ９２を咬ませて、電池を挟む所定の幅Ｓを形成する工具である。スペーサ止め９０がスペーサ９２を所定の位置に保持する。
【００４６】
図８（Ａ），（Ｂ）は、各々スペーサ９２とスペーサ止め９０の側面図と平面図で、スペーサ９２を嵌めたときの安定性を確保するため、スペーサ止め９０に切り込み９４を入れ雌とし、その切り込み９４部分に当たるスペーサ９２の部分９６を切除し雄として、スペーサがスペーサ止めに嵌るように成形する。スペーサ９２に雌の切り込みを入れ、スペーサ止め９０を雄にすることもできる。
【産業上の利用可能性】
【００４７】
補聴器は小型化が進み、また高価であり維持管理を確実に行う必要がある。
また、関連する機器も少なくなく、一箇所に纏めて保管することにより利用者の利便性と使用効率を高める。
さらに、電池チェッカーを側に置くことにより、電池を適宜チェックすることができ、電池容量１００％使うことにより資源の有効活用に資する。
【００４８】
小型電池取扱工具の先端部の挟み部或いはハンドル部に取り付けた永久磁石で小型電池を引き寄せ、指で摘んで挟み部で電池を挟み、補聴器の電池受容部に電池を装着するような一連の作業が、指の機能が低下した人や指の太い人でも容易に出来るようになる。
なお、この工具は補聴器用電池だけでなく、他目的用小型電池にも利用できる。
【図面の簡単な説明】
【００４９】
【図１】本発明の補聴器用具バスケット使用時の斜視図（実施例１）
【図２】補聴器用具バスケットの平面図（実施例１）
【図３】補聴器用具バスケットの側面図（実施例１）
【図４】補聴器用具バスケットの正面図とフィンの先端を繋いでアーチ状ハンドルを形成（実施例１）
【図５】補聴器用具バスケットの平面図（実施例２）
【図６】小型電池取扱工具  （実施例３）
【図７】小型電池取扱工具  （実施例３）
【図８】小型電池取扱工具  （実施例３）
【符号の説明】
【００５０】
１０  補聴器用具バスケット
１２  主コンパートメント
１４  副コンパートメント
１６  電池チェッカー用コンパートメント
１８  小物入れコンパートメント
２０  交換電池ケース用コンパートメント
２２  主コンパートメント壁
２４  主コンパートメント上端
２６  副コンパートメント壁
２８  副コンパートメント上端
３０  補聴器用具バスケット底部
３２  フィン
３４  フィン
３６  フィン端面ファスナ
３８  フィン端面ファスナ
４０  乾燥器
４２  乾燥器蓋
４４  電池チェッカー
４６  交換用電池ケース
４８  ブラシ
５０  実施例２の補聴器用具バスケット
５２  同上  副コンパートメント
５４  同上  副コンパートメント壁
６０  小型電池取扱工具
７０  ハンドル
７２  ハンドル
７４  挟み部
７６  連結部
８０  紐穴
８２  永久磁石
８４  永久磁石
８６  挟み部の内側面
８８  指当て
９０  スペーサ止め
９２  スペーサ
９４  スペーサ止めの切り込み
９６  スペーサの切除部分
【図１】
2010050954.tif 000003
【図２】
2010050954.tif 000004
【図３】
2010050954.tif 000005
【図４】
2010050954.tif 000006
【図５】
2010050954.tif 000007
【図６】
2010050954.tif 000008
【図７】
2010050954.tif 000009
【図８】
2010050954.tif 000010